(57)【特許請求の範囲】
【請求項１】
ランプのランプ口金の差し込み方向の側部に設けた口金突出部を挿入する第１の凹部およびこの第１の凹部の奥端に連続して前記ランプ口金を回動することにより前記口金突出部が進入する第２の凹部をソケット本体の側壁に有するランプソケットであって、
前記第２の凹部に、前記口金突出部を係止して前記ランプ口金を固定するための金属製の係止ばねを設け、この係止ばねが前記口金突出部を前記ランプ口金の差し込み方向に押圧するように前記口金突出部に係合することを特徴とするランプソケット。
【請求項２】
前記係止ばねは前記口金突出部が乗り越える凸部を有する請求項１記載のランプソケット。
【請求項３】
前記係止ばねは前記口金突出部と係止する係止凹部を有する請求項１記載のランプソケット。
【請求項４】
前記係止ばねは板ばねからなる請求項１記載のランプソケット。
【請求項５】
前記係止ばねはコイルスプリングからなる請求項１記載のランプソケット。
【請求項６】
前記口金突出部が前記係止ばねの前記凸部を乗り越えるとき前記係止ばねの先端が前記ソケット本体または前記係止ばねの基端側に当接する請求項２記載のランプソケット。
【請求項７】
前記ランプ口金は差し込み方向に突出するランプピンを有し、前記ソケット本体は前記ランプピンを挟持する略コの字形の接触端子による差し込み形接触構造である請求項１、請求項２、請求項３、請求項４、請求項５または請求項６記載のランプソケット。
【請求項８】
ランプのランプ口金の差し込み方向の側部に設けた口金突出部を挿入する第１の凹部およびこの第１の凹部の奥端に連続して前記ランプ口金を回動することにより前記口金突出部が進入する第２の凹部をソケット本体の側壁に有するランプソケットであって、
前記第２の凹部に、前記口金突出部を係止して前記ランプ口金を固定するための弾性体を設け、この弾性体が前記口金突出部を前記ランプ口金の差し込み方向に押圧するように前記口金突出部に係合することを特徴とするランプソケット。
【請求項９】
請求項１、請求項２、請求項３、請求項４、請求項５、請求項６、請求項７または請求項８記載のランプソケットを有する照明器具。
【発明の詳細な説明】
【０００１】
【発明の属する技術分野】
この発明は、片口金蛍光灯用ソケット等のランプソケットおよび片口金蛍光灯器具などの照明器具に関するものである。
【０００２】
【従来の技術】
従来、例えば特願平11-272293 号のように、ランプのランプ口金を差し込み回転して装着するランプソケットがある。このランプソケットは、ランプ口金の差し込み方向の側部に設けた口金突出部を挿入する第１の凹部および第１の凹部の奥端に連続してランプ口金を回動することにより口金突出部が進入する第２の凹部を有し、第２の凹部に口金突出部を係止するばねをソケット本体に一体に設けている。
【０００３】
【発明が解決しようとする課題】
しかし、このランプソケットは係止ばねが樹脂製であるため、ランプ保持強度が不足し、ランプからの紫外線や熱による経年変化により破損やランプ落下が懸念される。
【０００４】
したがって、この発明の目的は、ランプ保持性能を改善し信頼性の高いランプソケットおよび照明器具を提供することである。
【０００５】
【課題を解決するための手段】
請求項１記載のランプソケットは、ランプのランプ口金の差し込み方向の側部に設けた口金突出部を挿入する第１の凹部およびこの第１の凹部の奥端に連続して前記ランプ口金を回動することにより前記口金突出部が進入する第２の凹部をソケット本体の側壁に有するランプソケットであって、
前記第２の凹部に、前記口金突出部を係止して前記ランプ口金を固定するための金属製の係止ばねを設け、この係止ばねが前記口金突出部を前記ランプ口金の差し込み方向に押圧するように前記口金突出部に係合することを特徴とするものである。
【０００６】
請求項１記載のランプソケットによれば、係止ばねが金属ばねのため、ランプの紫外線や熱による経年劣化による影響が樹脂ばねに比べ小さく、ランプの落下に対する信頼性が高い。また係止ばねがソケット本体と別部品のため、ばね設計に自由度があり、ランプ着脱の操作感触のよいランプソケットが実現できる。さらに係止ばねが金属ばねのため、樹脂製である口金突出部との摩擦が小さく、中途半端な装着状態で保持されることがない。
【０００７】
請求項２記載のランプソケットは、請求項１において、前記係止ばねが前記口金突出部が乗り越える凸部を有するものである。
【０００８】
請求項２記載のランプソケットによれば、請求項１と同様な効果のほか、着脱操作時のクリック感触を得ることが可能になる。
【０００９】
請求項３記載のランプソケットは、請求項１において、前記係止ばねが前記口金突出部と係止する係止凹部を有するものである。
【００１０】
請求項３記載のランプソケットによれば、請求項１と同様な効果のほか、係止凹部により口金突出部を安定に位置決めすることができる。
【００１１】
請求項４記載のランプソケットは、請求項１において、前記係止ばねが板ばねからなるものである。
【００１２】
請求項４記載のランプソケットによれば、請求項１と同様な効果がある。
【００１３】
請求項５記載のランプソケットは、請求項１において、前記係止ばねがコイルスプリングからなるものである。
【００１４】
請求項５記載のランプソケットによれば、請求項１と同様な効果がある。
【００１５】
請求項６記載のランプソケットは、請求項２において、前記口金突出部が前記係止ばねの前記凸部を乗り越えるとき前記係止ばねの先端が前記ソケット本体または前記係止ばねの基端側に当接するものである。
【００１６】
請求項６記載のランプソケットによれば、ランプ挿入時に変形する係止ばねの先端側が樹脂ボディに当接することにより、係止ばねが過変形し破壊するのを防止することができる。
【００１７】
請求項７記載のランプソケットは、請求項１、請求項２、請求項３、請求項４、請求項５または請求項６において、前記ランプ口金が差し込み方向に突出するランプピンを有し、前記ソケット本体は前記ランプピンを挟持する略コの字形の接触端子による差し込み形接触構造である。
【００１８】
請求項７記載のランプソケットによれば、請求項１、請求項２、請求項３、請求項４、請求項５または請求項６と同様な効果のほか、接触端子にランプピンを押し戻す方向の力がなくても、係止ばねによりランプ口金を確実に係止することがてきる。
【００１９】
請求項８記載のランプソケットは、ランプのランプ口金の差し込み方向の側部に設けた口金突出部を挿入する第１の凹部およびこの第１の凹部の奥端に連続して前記ランプ口金を回動することにより前記口金突出部が進入する第２の凹部をソケット本体の側壁に有するランプソケットであって、
前記第２の凹部に、前記口金突出部を係止して前記ランプ口金を固定するための弾性体を設け、この弾性体が前記口金突出部を前記ランプ口金の差し込み方向に押圧するように前記口金突出部に係合することを特徴とするものである。
【００２０】
請求項８記載のランプソケットによれば、係止ばねがゴム製の弾性体であるため、ランプの紫外線や熱による経年劣化による影響を樹脂ばねに比べ小さくでき、ランプの落下に対する信頼性が高められるとともに、口金突出部と密着するので、振動に対してもがたつきがない安定したランプ保持ができる。また係止ばねがソケット本体と別部品のため、ばね設計に自由度があり、ランプ着脱の操作感触のよいランプソケットが実現できる。
【００２１】
請求項９記載の照明器具は、請求項１、請求項２、請求項３、請求項４、請求項５、請求項６、請求項７または請求項８記載のランプソケットを有するものである。
【００２２】
請求項９記載の照明器具によれば、請求項１、請求項２、請求項３、請求項４、請求項５、請求項６、請求項７または請求項８と同様な効果がある。
【００２３】
【発明の実施の形態】
この発明の第１の実施の形態を図１から図４により説明する。すなわち、この照明器具のランプソケットは、ランプ口金１の差し込み方向の側部に設けた口金突出部２を挿入する第１の凹部３をソケット本体５の側部６に有し、第１の凹部３の奥端に連続してランプ口金１を回動することにより口金突出部２が進入する第２の凹部４をソケット本体５の側壁６に有する。第２の凹部４は、口金突出部２を係止してランプ口金７を固定するための金属製の係止ばね１０を設けている。
【００２４】
係止ばね１０は口金突出部２が乗り越える凸部１１を有し、口金突出部２と係止する係止凹部１２を有する板ばねからなる。口金突出部２が係止ばね１０の凸部１１を乗り越えるとき係止ばね１０の先端がソケット本体５または係止ばね１０の基端側に当接するように取付けられている。７はランプ、８はランプ口金の差し込み方向に突出するランプピンである。
【００２５】
実施の形態において、樹脂製のソケット本体５の側壁６はランプ口金１を収容する周壁により形成されている。第１の凹部３および第２の凹部４は両者で略Ｌ字形溝を形成するものであり、側壁６の相対向部にそれぞれ設けられている。第２の凹部４は外部に貫通しており、第２の凹部４および貫通部１３の上端部（天面）に係止ばね位置決め突起１４を垂下し、貫通部１３の上端両側にそれぞれ凹陥部１５を形成している。一方ソケット本体５はランプピン８を挟持する略コの字形のランプピン接触端子１６による差し込み形接触構造である。ソケット本体５の前面にランプピン挿入穴（図示せず）を形成し、ソケット本体５の底部に開口を設け、開口より内部にランプピン接触端子１６を位置決め収納し、開口を塞ぐ樹脂製のカバー１７でこれらを押え固定している。またランプピン接触端子１６は電線を接続するための速結端子１８を一体に形成し、電線を挿入するための電線挿入穴１９および電線の接続を解除するための電線解除穴２０をカバー１７に形成している。カバー１７は係止爪２５によりソケット本体５に係止固定する。
【００２６】
また、実施の形態の係止ばね１０は板ばねの両端２３、２４を互いにハの字をなすように同方向に曲げその中間部に係止ばね位置決め穴２２を形成し、一端２４側より一部をさらに外方に延出してその延出部２５をＶ形に曲げることにより凸部２６を形成しさらにその先端をへの字形に曲げて係止凹部２７を形成している。ソケット本体５の貫通部１３に係止ばね１０を挿入し、係止ばね位置決め穴２２を係止ばね位置決め突起１４に嵌合するとともに、両端を凹陥部１５に係止して固定する。
【００２７】
ランプ７の装着は図１の矢印のように、ランプ口金１を矢印Ａの方向にランプソケットの周壁６内に挿入すると同時に、口金突出部２を第１の凹部３に挿入し、がつランプピン８がランプピン挿入穴に挿入される。つぎに矢印Ｂのようにランプ口金１を回動すると図２の動作が行なわれる。すなわち、図２（ａ）は口金突出部２が第２の凹部４に入り、口金突出部２が係止ばね１０の延出部５を押上げながら凸部２６を乗り越える動作を示している。このとき延出部２５の先端が係止ばね位置決め突起１４の先端に当接して係止ばね１０の過変形を防止している。
【００２８】
図２（ｂ）は口金突出部２が凸部２６を乗り越えて係止凹部２７に係止した固定状態である。このときランプピン８はランプピン接触端子１６に十分に接触し、この状態からランプ口金１を反対向きに回動し凸部２６を再度乗り越えると第１の凹部３に移動でき、ランプ口金１を引き抜くことができる。
【００２９】
図４はこのランプソケットを適用した壁付照明器具を示す。３０は壁、３１は器具本体、３２はランプソケット、３３はランプ、３４はグローブ、３５はパッキンである。
【００３０】
この発明の第２の実施の形態を図５に示す。すなわち、図５（ａ）は第１の実施の形態と同様であるのに対して、図５（ｂ）に示す第２の実施の形態は係止ばね１０に凹部２７がない形状であり、凸部２６を乗り越えた位置で凸部２６の傾斜した側面により口金突出部２を第２の凹部４の側面に押し当てて係止するものである。
【００３１】
この発明の第３の実施の形態を図６（ａ）に示す。すなわち、図６（ａ）はランプ口金１０の回動方向において第２の実施の形態（図５（ｂ））の係止ばね１０を反対向きに取付けた状態に相当する。したがって、ランプ口金１０を第１の凹部３に挿入した位置から第２の凹部４へ回動すると、口金突出部２が係止ばね１０の先端に当接し、係止ばね１０のばね力で凸部２６が弾性により上方に移動して口金突出部２の乗り越えを許容し、口金突出部２が移動すると復元して凸部２６の傾斜部分２６ａで口金突出部２を第２の凹部４の側面に押圧し口金突出部２を固定する。その他は第１の実施の形態と同様である。
【００３２】
この発明の第４の実施の形態を図６（ｂ）に示す。すなわち、図６（ｂ）は第３の実施の形態のＶの字形の凸部２６に代えて、Ｗ字形に曲げて凸部２６と係止凹部２７を形成し、係止凹部２７により口金突出部８を係止するものである。その他は第１の実施の形態と同様である。
【００３３】
この発明の第５の実施の形態を図７（ａ）に示す。すなわち、第２の実施の形態の先端を延長してその先端を内方に曲げて先端曲成部２５ａを形成し、口金突出部２が凸部２６を乗り越えて傾斜部２６ａで口金突出部２がソケット本体５に押付けられるとき、先端曲成部２５をソケット本体５に直接または係止ばね１０の付け根側を介して当たるようにしている。これにより、口金突出部２の係止をより強くすることができる。その他は第１の実施の形態と同様である。
【００３４】
この発明の第６の実施の形態を図７（ｂ）に示す。すなわち、第１の実施の形態において、係止ばね１０を板ばねによりＺ字形に形成し、その一端を第２の凹部４の側面に取付け、他端側の屈曲部分をＶ字形の凸部２６としている。口金突出部２を第１の凹部３から第２の凹部４へ移動するとき、口金突出部２が係止ばね１０の先端側から凸部２６に当接し凸部２６を押し上げて乗り越え、凸部２６の傾斜部２６ａで口金突出部２を第２の凹部４の側面に押付けて固定する。その他は第１の実施の形態と同様である。
【００３５】
この発明の第７の実施の形態を図８（ａ）に示す。すなわち、第６の実施の形態のＺ字形の板ばねに代えて略Ｗ字形の板ばねを係止ばね１０に用い、その一端を第２の凹部４の側面に取付けている。この係止ばね１０はＷ字の先端側の屈曲部分をＶ字形の凸部２６となし、Ｗ字の中央の凹みを係止凹部２７となし、係止凹部２７で口金突出部２を係止する。その他は第１の実施の形態と同様である。
【００３６】
この発明の第８の実施の形態を図８（ｂ）に示す。すなわち、第１の実施の形態において係止ばね１０を略Ｚ字形の板ばねに形成して一端に長手方向に間隔をおいて並ぶ突部３０、３１を裏側から絞り成形している。他端を第２の凹部４から第１の凹部３の天面に取付け、一端の先端を第１の凹部３と反対向きにしている。この場合、第１の凹部３側の突部３０が凸部２６として働き、突部３０、３１間が凹部２７として働く。その他は第１の実施の形態と同様である。
【００３７】
この発明の第９の実施の形態を図９（ａ）に示す。すなわち、第１の実施の形態において、係止ばね１０を板ばねに代えてゴム等の弾性体により形成している。弾性体の下面に凸部２６を形成しその奥側に係止凹部２７を形成している。その他は第１の実施の形態と同様である。
【００３８】
係止ばね１０がゴム製の弾性体の場合は、口金突出部２と密着するため、振動に対してもがたつきがない安定したランプ保持ができる。
【００３９】
この発明の第１０の実施の形態を図９（ｂ）に示す。すなわち、第１の実施の形態において、係止ばねを板ばねに代えて、コイルスプリングとその先端の表面がＶ字形をなす当接片３２とで構成している。３３は当接片３２をスライドガイドするガイドである。Ｖ字形の当接部３２が凸部２６の役目をなし、Ｖ字形の凸部２６の傾斜部２６ａで口金突出部２を第２の凹部４の側面に押圧して固定している。
【００４０】
なお、係止ばね１０において、凸部２６がなく係止凹部２７のみの構成でもよい。
【００４１】
【発明の効果】
請求項１記載のランプソケットによれば、係止ばねが金属ばねのため、ランプの紫外線や熱による経年劣化による影響が樹脂ばねに比べ小さく、ランプの落下に対する信頼性が高い。また係止ばねがソケット本体と別部品のため、ばね設計に自由度があり、ランプ着脱の操作感触のよいランプソケットが実現できる。さらに係止ばねが金属ばねのため、樹脂製である口金突出部との摩擦が小さく、中途半端な装着状態で保持されることがない。
【００４２】
請求項２記載のランプソケットによれば、請求項１と同様な効果のほか、着脱操作時のクリック感触を得ることが可能になる。
【００４３】
請求項３記載のランプソケットによれば、請求項１と同様な効果のほか、係止凹部により口金突出部を安定に位置決めすることができる。
【００４４】
請求項４記載のランプソケットによれば、請求項１と同様な効果がある。
【００４５】
請求項５記載のランプソケットによれば、請求項１と同様な効果がある。
【００４６】
請求項６記載のランプソケットによれば、ランプ挿入時に変形する係止ばねの先端側が樹脂ボディに当接することにより、係止ばねが過変形し破壊するのを防止することができる。
【００４７】
請求項７記載のランプソケットによれば、請求項１、請求項２、請求項３、請求項４、請求項５または請求項６と同様な効果のほか、接触端子にランプピンを押し戻す方向の力がなくても、係止ばねによりランプ口金を確実に係止することがてきる。
【００４８】
請求項８記載のランプソケットによれば、係止ばねがゴム製の弾性体であるため、ランプの紫外線や熱による経年劣化による影響を樹脂ばねに比べ小さくでき、ランプの落下に対する信頼性が高められるとともに、口金突出部と密着するので、振動に対してもがたつきがない安定したランプ保持ができる。また係止ばねがソケット本体と別部品のため、ばね設計に自由度があり、ランプ着脱の操作感触のよいランプソケットが実現できる。
【００４９】
請求項９記載の照明器具によれば、請求項１、請求項２、請求項３、請求項４、請求項５、請求項６、請求項７または請求項８と同様な効果がある。
【図面の簡単な説明】
【図１】この発明の第１の実施の形態のランプ装着前のランプソケットの斜視図である。
【図２】口金突出部の係止動作を説明する動作説明図である。
【図３】ランプソケットの分解斜視図である。
【図４】壁付け照明器具の分解斜視図である。
【図５】第２の実施の形態の動作説明図である。
【図６】（ａ）は第３の実施の形態の動作説明図、（ｂ）は第４の実施の形態の動作説明図である。
【図７】（ａ）は第５の実施の形態の動作説明図、（ｂ）は第６の実施の形態の動作説明図である。
【図８】（ａ）は第７の実施の形態の動作説明図、（ｂ）は第８の実施の形態の動作説明図である。
【図９】（ａ）は第９の実施の形態の動作説明図、（ｂ）は第１０の実施の形態の動作説明図である。
【符号の説明】
１    ランプ口金
２    口金突出部
３    第１の凹部
４    第２の凹部
５    ソケット本体
６    側壁
７    ランプ
１０    係止ばね
１６    ランプピン接触端子
２６    凸部
２７    係止凹部
【図１】
0003754276.tif 000002
【図２】
0003754276.tif 000003
【図３】
0003754276.tif 000004
【図４】
0003754276.tif 000005
【図５】
0003754276.tif 000006
【図６】
0003754276.tif 000007
【図７】
0003754276.tif 000008
【図８】
0003754276.tif 000009
【図９】
0003754276.tif 000010